(57)【特許請求の範囲】
【請求項１】
前部にフックを有し、フックよりも後方の針幹にスライダー溝が形成される針本体と、
前部に編目の係止が可能なタングが形成される二枚のブレードを有し、針本体のスライダー溝にブレードの少なくとも一部が収容されて前後方向に案内され、針本体に対する相対移動でタングがフックを開閉するスライダーとを含み、
針本体は、
フックの後側に隣接し、先端部でフックを閉じる状態のタングを収容するスライダー溝の区間に底面を有する閉鎖部と、
閉鎖部の後側で、針本体に対して後退してフックを開放し、フックから後退する編目をタングに受けるクリア状態で、タングの先端部を収容するスライダー溝の部分に底面を有し、タング先端部よりも後側の部分を収容するスライダー溝の部分には底面が無いように形成されるクリア部と、
クリア部の上方に、少なくともスライダー溝を覆う幅で後方から前方に張出すように形成され、下面に押圧部が設けられる張出し部と、
を有し、
二枚のブレードは、タングよりも後方から、弾発的な撓みでタングの上下動を許容するアームが後方に延出され、アームの前端部分付近に、スライダー溝の幅内でスライダー溝から上方に突出し、針本体の張出し部の下面の押圧部と当接し、前方から後方に高さが減少する傾斜部を有するとともに、
前記ブレードの前部には、前記タングの後方に隣接して、ブレードの上端が前記スライダー溝の外部に開く湾曲部を有し、
前記アームは、前記針本体の前記張出し部の上方を越えて後方に延出され、
前記傾斜部は、アームの前端よりも後方となる下側に形成される
ことを特徴とする横編機の複合針。
【発明の詳細な説明】
【技術分野】
【０００１】
本発明は、針床に並設される針溝に収容され、針床の先端側が臨む歯口に進退するフックを有する針本体と、針本体に対する相対移動でフックを開閉するタングを有するスライダーとを含む、横編機の複合針に関する。
【背景技術】
【０００２】
従来から、横編機では、針床に並設される針溝に収容し、針床の先端側が臨む歯口に編針先端に設けるフックを進退させ、歯口で編糸の給糸をフックに受けながら、編地を編成している。編針としては、フックをべらで開閉するべら針とともに、フックをスライダーで開閉する複合針が使用される。
【０００３】
横編機では、歯口を挟む前後の両側に針床を設けて対向させ、各針床は、歯口側が高く、歯口から離れると低くなるように傾斜している。以下の説明では、個別の針床を基準として方向を定め、歯口側を前、歯口から離れる側を後とし、針溝内で編針が移動する方向を前後の方向とする。また、針溝内で浮く方向を上とし、沈む方向を下として上下の方向とする。
【０００４】
図５は、従来からの複合針１の主要部分の概略的な構成を、針溝に収容されている状態で示す（たとえば、特許文献１参照）。ただし、針床や針溝に関する構成は図示を省略している。複合針１は、針本体２とスライダー３とを含む。スライダー３は、二枚のブレード４と基体５とを含む。複合針１には、ニードルジャック６も含まれる。これら複合針１の主要な構成部品は、金属板を加工して形成される。
【０００５】
針本体２は、前端のフック２ａと、フック２ａに後続する針幹２ｂとを有する。針幹２ｂには、紙面に垂直な幅方向の中間に、スライダー溝２ｃが設けられている。スライダー溝２ｃは、底面２ｄを有する。底面２ｄから幅方向の両側に立上がる側壁には、切欠２ｅが設けられ、切欠２ｅの上部にフォーク部２ｆが形成されている。針本体２の後端側には、結合部２ｇが設けられている。ブレード４は、二枚が重なった状態で、少なくとも下部が針本体２のスライダー溝２ｃに収容される。ブレード４の前端には、タング４ａが設けられ、タング４ａよりも後方からは、アーム４ｂが延出される。アーム４ｂの後端付近には、結合部４ｃが設けられ、前端付近には振れ止め突起４ｄが設けられる。基体５は、前端付近に、ブレード４の振れ止め突起４ｄを収容する突起収容部５ａが設けられ、後方にはアーム５ｂが延出される。基体５は、ブレード４の結合部４ｃと結合する結合部５ｃも備えており、ブレード４と基体５との結合状態で、スライダー３として機能する。針本体２の後端付近に設ける結合部２ｇには、ニードルジャック６の前端に設ける結合部６ａが嵌合する。
【０００６】
図５（ａ）は、フック２ａの鈎口をタング４ａで閉じている状態を示す。図５（ｂ）は、針本体２に対してスライダー３が後退し、開いているフック２ａの鈎口から、フック２ａ内に係止している編目がタング４ａに移行可能なクリアの状態を示す。タング４ａは、スライダー溝２ｃ内に沈められ、針幹２ｂに沿って後退する編目に掛る等の支障が生じないようにする必要がある。図の複合針１では、タング４ａに後続するブレード４の上部を幅方向の両側に開いて湾曲部４ｅを形成し、フック２ａに係止する編目を、上方からトランスファージャックで受取る際などの便宜が図られている。図５（ｂ）では、湾曲部４ｅをフォーク部２ｆが臨む切欠２ｅに案内し、フォーク部２ｆの下側で湾曲部４ｅを下方に押圧して、タング４ａを沈めるようにしている。なお、二枚のブレード４を使用するスライダー３では、タング４ａがフック２ａを越えて歯口に進出することも可能である。
【０００７】
図５（ｃ）は、図５（ｂ）の切断面線Ｃ−Ｃから見た断面構成を示す。ブレード４は、二枚が重ねられているので、湾曲部４ｅは、中心線１ａの両側に開いている。針幹２ｂに設けるスライダー溝２ｃの両側壁に切欠２ｅおよびフォーク部２ｆが設けられ、湾曲部４ｅを下方に押圧している。
【先行技術文献】
【特許文献】
【０００８】
【特許文献１】特許第３５７７０３８号公報
【発明の概要】
【発明が解決しようとする課題】
【０００９】
図５（ｃ）に示すように、針本体２の針幹２ｂでは、幅方向の中間にスライダー溝２ｃを形成して、側壁に設ける切欠２ｅにブレード４の湾曲部４ｅを案内して、クリア時にタング４ａをスライダー溝２ｃ内に沈めるようにしている。スライダー溝２ｃは、針本体２の上面側から溝加工を行って形成するので、フォーク部２ｆも同時に加工され、薄板状の壁面となる。ブレード４も薄板状であり、フォーク部２ｆの下面と湾曲部４ｅとの係合は、薄板同士で行われる。
【００１０】
横編機では、編針の配設密度が大きくなり、配設ピッチが小さくなると、ファインゲージと呼ばれる。ファインゲージでは、針溝の幅も小さくなり、針溝に収容可能な針本体２の幅も小さくなる。図５のような、クリア時の押圧に湾曲部４ｅを利用する構成では、針幹２ｂの側壁やブレード４の板厚が薄くなるため、フォーク部２ｆの下面と湾曲部４ｅの上端とが当接し難くなってしまう。
【００１１】
本発明の目的は、タングを二枚のブレードで形成するスライダーを針本体に対して後退させるクリア時に、タングをスライダー溝に沈めるための案内を確実に行わせることが可能な、横編機の複合針を提供することである。
【課題を解決するための手段】
【００１２】
本発明は、前部にフックを有し、フックよりも後方の針幹にスライダー溝が形成される針本体と、
前部に編目の係止が可能なタングが形成される二枚のブレードを有し、針本体のスライダー溝にブレードの少なくとも一部が収容されて前後方向に案内され、針本体に対する相対移動でタングがフックを開閉するスライダーとを含み、
針本体は、
フックの後側に隣接し、先端部でフックを閉じる状態のタングを収容するスライダー溝の区間に底面を有する閉鎖部と、
閉鎖部の後側で、針本体に対して後退してフックを開放し、フックから後退する編目をタングに受けるクリア状態で、タングの先端部を収容するスライダー溝の部分に底面を有し、タング先端部よりも後側の部分を収容するスライダー溝の部分には底面が無いように形成されるクリア部と、
クリア部の上方に、少なくともスライダー溝を覆う幅で後方から前方に張出すように形成され、下面に押圧部が設けられる張出し部と、
を有し、
二枚のブレードは、タングよりも後方から、弾発的な撓みでタングの上下動を許容するアームが後方に延出され、アームの前端部分付近に、スライダー溝の幅内でスライダー溝から上方に突出し、針本体の張出し部の下面の押圧部と当接し、前方から後方に高さが減少する傾斜部を有するとともに、
前記ブレードの前部には、前記タングの後方に隣接して、ブレードの上端が前記スライダー溝の外部に開く湾曲部を有し、
前記アームは、前記針本体の前記張出し部の上方を越えて後方に延出され、
前記傾斜部は、アームの前端よりも後方となる下側に形成される
ことを特徴とする横編機の複合針である。
【発明の効果】
【００１５】
本発明によれば、針本体に対してスライダーが後退してフックを開放し、フックから後退する編目をタングに受けるクリア状態で、タングがスライダー溝のクリア部に収容される。クリア部の上方には、針本体の後方から、少なくともスライダー溝を覆う幅で前方に張出すように張出し部が形成されているので、ブレードの傾斜部は張出し部の下面に設けられる押圧部と当接し、押圧を受けて、タングはスライダー溝に沈む。押圧は、スライダー溝の幅内で行われるので、針本体の板厚が薄くなっても、タングをスライダー溝に沈めるための案内を確実に行わせることができる。
【００１６】
傾斜部の押圧は張出し部の下面の押圧部で行うので、スライダー溝の加工を針幹の下方から行えば、加工の影響が張出し部の下面には及ばないようにすることができる。クリア部では、スライダー溝に底面が無いので、スライダー溝内から塵埃などが排出されやすくなり、塵埃の詰りなどによる誤動作のおそれを軽減することができる。
【００１７】
また、アームは、張出し部の上方を越えて後方に延出されるので、タングに後続して湾曲部を設けても、針本体に対してスライダーを上方から容易に組合わせて複合針を形成することができる。クリア時にタングをスライダー溝に沈める押圧は、アームの前端付近の後部に設ける傾斜部で行い、スライダー溝の幅内で確実に行うことができる。
【図面の簡単な説明】
【００１９】
【図１】図１は、本発明の一実施例としての複合針１１の概略的な構成を示す、部分的な側面図および正面断面図である。
【図２】図２は、図１の複合針１１を構成する主要な部品と、それらの組合せ状態を示す側面図である。
【図３】図３は、本発明の参考例としての複合針２１の概略的な構成を示す、部分的な側面図である。
【図４】図４は、図３の複合針２１を構成する主要な部品と、それらの組合せ状態を示す側面図である。
【図５】図５は、従来からの複合針１の概略的な構成を示す、部分的な側面図および正面断面図である。
【発明を実施するための形態】
【００２０】
以下、図１および図２では、本発明の一実施例として、横編機の複合針１１の概略的な構成を示す。図３および図４では、本発明の参考例として、横編機の複合針２１の概略的な構成を示す。複合針１１と複合針２１とで共通する事項についての説明は、両方の参照符を併記して、一括して行うけれども、それぞれに使用する部分は、必ずしも併用可能ではない。
【００２１】
各図で、先に説明した部分と対応する部分には同一の参照符を付し、重複する説明を省略する場合がある。また、説明の対象となる図には付していない参照符で、先に説明した図には付してあるものに言及する場合もある。
【実施例】
【００２２】
図１および図３は、本発明の実施例および参考例としての複合針１１，２１の概略的な構成をそれぞれ示す。複合針１１，２１は針本体１２，２２とスライダー１３，２３とを含み、スライダー１３，２３は二枚のブレード１４，２４と基体１５，２５とを含み、さらに複合針１１には、ニードルジャック６も含まれる。複合針２１にもニードルジャック６は複合針１１と同様に含まれるけれども、図示は省略する。針本体１２，２２で、前端のフック１２ａ，２２ａに後続する針幹１２ｂ，２２ｂには、スライダー溝１２ｃ，２２ｃが設けられている。スライダー溝１２ｃ，２２ｃは、前端付近に底面１２ｄ，２２ｄを有するけれども、後方には底面１２ｄ，２２ｄが設けられず、スライダー溝１２ｃ，２２ｃの上方に後方から張出すように、張出し部１２ｅ，２２ｅが形成されている。張出し部１２ｅ，２２ｅは、下方でスライダー溝１２ｃ，２２ｃが形成されている針幹１２ｂ，２２ｂの上面との間に隙間を有し、張出し部１２ｅ，２２ｅの下面には押圧部１２ｆ，２２ｆが設けられる。針本体１２，２２の後部には結合部１２ｇ，２２ｇが設けられ、ニードルジャック６の結合部６ａと結合している。
【００２３】
ブレード１４，２４は、二枚が重なった状態で、少なくとも下部がスライダー溝１２ｃ，２２ｃに収容され、前端にはタング１４ａ，２４ａ、タング１４ａ，２４ａよりも後方からはアーム１４ｂ，２４ｂが、それぞれ設けられる。アーム１４ｂ，２４ｂの後端付近には、結合部１４ｃ，２４ｃが設けられ、基体１５，２５のアーム１５ｂ，２５ｂの前端付近に設けられる結合部１５ｃ，２５ｃに結合される。複合針１１では、タング１４ａに後続して、湾曲部１４ｅが設けられる。タング１４ａ，２４ａに後続して、前方から後方に高さが減少する傾斜部１４ｆ，２４ｆがそれぞれ設けられる。これらの部分は、ブレード１４，２４の頭部１４ｇ，２４ｇとして、アーム１４ｂ，２４ｂの先端に設けられ、アーム１４ｂ，２４ｂの撓みで、スライダー溝１２ｃ，２２ｃ内での上下動が可能になっている。
【００２４】
図１（ａ）および図３（ａ）は、フック１２ａ，２２ａの鈎口をタング１４ａ，２４ａで閉じている状態を示す。ブレード１４，２４の頭部１４ｇ，２４ｇは、スライダー溝１２ｃ，２２ｃの閉鎖部１２ｈ，２２ｈに収容され、底面１２ｄ，２２ｄからの押上げでスライダー溝１２ｃ，２２ｃ内を浮上し、タング１４ａ，２４ａの先端がフック１２ａ，２２ａの先端に当接して、鈎口を閉じる。複合針１１のアーム１４ｂは、上部が基体１５に設けるアーム溝１５ｄに挿入される状態で、スライダー溝１２ｃの幅方向への振れが抑制される。複合針２１のアーム２４ｂは、前端の振れ止め突起２４ｄが基体２５前端に設ける突起収容部２５ａに収容される状態で、スライダー溝２２ｃの幅方向への振れが抑制される。タング１４ａ，２４ａは、フック１２ａ，２２ａを越えて前方に進出させることもできる。
【００２５】
図１（ｂ）および図３（ｂ）は、クリア時の状態を示す。ブレード１４，２４の頭部１４ｇ，２４ｇはスライダー溝１２ｃ，２２ｃのクリア部１２ｉ，２２ｉに収容され、張出し部１２ｅ，２２ｅ下面の押圧部１２ｆ，２２ｆで傾斜部１４ｆ，２４ｆが押圧される。タング１４ａ，２４ａはスライダー溝１２ｃ，２２ｃ内に沈められ、編目は針幹１２ｂ，２２ｂに沿って円滑に後退することができる。複合針１１のアーム１４ｂは、張出し部１２ｅの上方を越えて後方に延出されるので、タング１４ａに後続して湾曲部１４ｅを設けても、針本体１２にスライダー１３を上方から組合せて複合針１１を形成することができる。傾斜部１４ｆは、アーム１４ｂの前端よりも後方となる下側に形成されるので、アーム１４ｂが張出し部１２ｅの上方を通過しても、張出し部１２ｅの下面の押圧部１２ｆで傾斜部１４ｆを確実に押圧することができる。複合針２１には、スライダー溝２２ｃの幅よりも外方に膨らむような湾曲部１４ｅに相当する部分が設けられていない。したがって、複合針２１では、スライダー溝２２ｃを張出し部２２ｅよりも後方まで形成しても、ブレード２４を張出し部２２ｅの下方を通過して前方まで挿入し、容易に組立てることができる。
【００２６】
図１（ｃ）は、図１（ｂ）の切断面線Ｃ−Ｃから見た断面構成を示す。張出し部１２ｅは、針幹１２ｂの全幅にわたって形成されているので、二枚が重ねられているブレード１４の傾斜部１４ｆの上端が容易に当接し、張出し部１２ｅの下面の押圧部１２ｆで傾斜部１４ｆを上方から確実に押圧することができる。また、スライダー溝１２ｃは、閉鎖部１２ｈでは針幹１２ｂの上方から加工し、クリア部１２ｉでは針幹１２ｂの下方から加工する。クリア部１２ｉでは下方に開放されているので、編針として動作中にスライダー溝１２ｃ内から塵埃を排出することも可能となる。複合針２１についても、クリア部２２ｉの断面構成では、同様に、張出し部２２ｅは針幹２２ｂの全幅にわたって形成され、二枚が重ねられているブレード２４の傾斜部２４ｆを押圧部２２ｆが上方から容易に押圧することができる。また、複合針１１のスライダー溝１２ｃと同様に形成するスライダー溝２２ｃも、クリア部２２ｉでは下方に開放されているので、加工や塵埃の排出を容易に行うことができる。
【００２７】
図２および図４は、図１および図３の複合針１１，２１の主要部品の構成を示す。図２（ａ）は、ブレード１４および基体１５の構成を示す。図１の基体１５の後方には、アーム１５ｂが延出され、バット１５ｅが立設され、スライダー１３としての駆動を受ける。図２（ｂ）は、スライダー１３として、ブレード１４および基体１５を、結合部１４ｃ，１５ｃの結合で、組合せている状態を示す。図２（ｃ）は、針本体１２とニードルジャック６とを組合せた状態を示す。針本体１２は、ニードルジャック６に設けるバット６ｂへの駆動で、編針としての主要な動作を行う。図４（ａ）は、ブレード２４および基体２５の構成を示す。図３の基体２５の後方には、アーム２５ｂが延出され、スライダー２３としての駆動を受けるバットが設けられるけれども、図示を省略する。図４（ｂ）は、スライダー２３として、ブレード２４および基体２５を、結合部２４ｃ，２５ｃの結合で、組合せている状態を示す。図４（ｃ）は、針本体２２を示す。
【符号の説明】
【００２８】
１１，２１  複合針
１２，２２  針本体
１２ａ，２２ａ  フック
１２ｂ，２２ｂ  針幹
１２ｃ，２２ｃ  スライダー溝
１２ｅ，２２ｅ  張出し部
１２ｆ，２２ｆ  押圧部
１２ｈ，２２ｈ  閉鎖部
１２ｉ，２２ｉ  クリア部
１３，２３  スライダー
１４，２４  ブレード
１４ａ，２４ａ  タング
１４ｅ  湾曲部
１４ｆ，２４ｆ  傾斜部
１５，２５  基体
【図１】
0005618778.tif 000002
【図２】
0005618778.tif 000003
【図３】
0005618778.tif 000004
【図４】
0005618778.tif 000005
【図５】
0005618778.tif 000006